(57)【要約】【課題】  より多くの情報を一度に表示することができるメール表示方法及び携帯端末を提供する。【解決手段】  メール表示方法を設定し、その設定を記憶可能な携帯電話機において、受信メールの送信元メールアドレスのドメイン名から携帯電話機からのメールかインターネット経由のメールかを判別し、判別したドメイン名に応じて、受信メールの文章内の改行マークを削除し、判別したドメイン名に応じて受信メールをディスプレイに表示させる際の文字フォントサイズを変更する。【選択図】  図１
2005057618.tif 000002
【特許請求の範囲】
【請求項１】
待ち受け状態から、メール受信をし、メール表示方法設定の判定処理を実行し、
前記判定処理を有効と判断した場合、前記受信メールのドメイン名を確認し、
前記ドメイン名確認の後、前記受信メールがインターネット経由か携帯端末からかを判定し、
前記受信メールがインターネット経由と判断された場合は、前記受信メール内の改行マークを削除して前記受信メールを表示し、前記待ち受け状態へ遷移し、
前記受信メールが携帯電話機からと判断された場合は、通常のメール表示を実行して前記待ち受け状態へ遷移することを特徴とするメール表示方法。
【請求項２】
待ち受け状態から、メール受信をし、メール表示方法設定の判定処理を実行し、
前記判定処理を有効と判断した場合、前記受信メールのドメイン名を確認し、
前記ドメイン名確認の後、前記受信メールがインターネット経由か携帯電話機からかを判定し、
前記受信メールがインターネット経由と判断された場合は、前記受信メールの文字フォントサイズを変更して前記受信メールを表示し、前記待ち受け状態へ遷移し、
前記受信メールが携帯電話機からと判断された場合は、通常のメール表示を実行して前記待ち受け状態へ遷移することを特徴とするメール表示方法。
【請求項３】
待ち受け状態から、メール受信をし、メール表示方法設定の判定処理を実行し、
前記判定処理を有効と判断した場合、前記受信メールのドメイン名を確認し、
前記ドメイン名確認の後、前記受信メールがインターネット経由か携帯電話機からかを判定する処理を実行し、
前記受信メールがインターネット経由と判断された場合は、前記受信メールがディスプレイに表示される方向を変更して前記受信メールを表示し、前記待ち受け状態へ遷移し、
前記受信メールが携帯電話機からと判断された場合は、通常のメール表示を実行して前記待ち受け状態へ遷移することを特徴とするメール表示方法。
【請求項４】
待ち受け状態から、メール受信をし、メール表示方法設定の判定処理を実行し、
前記判定処理を有効と判断した場合、受信メールのドメイン名を確認し、
前記ドメイン名確認の後、前記受信メールがインターネット経由か携帯電話機からかを判定する処理を実行し、
前記受信メールがインターネット経由と判断された場合は、前記受信メール内の改行マークを削除し、
前記改行マーク削除済みのメールを既存メールに上書き保存して表示し、前記待ち受け状態へ遷移し、
前記受信メールが携帯電話機からと判断された場合は、通常のメール表示を実行して前記待ち受け状態へ遷移することを特徴とするメール表示方法。
【請求項５】
前記メール表示方法設定の判定処理を無効と判定した場合、通常メール表示を実行し、  前記待ち受け状態へ遷移することを特徴とする請求項１から４のいずれか１項に記載のメール表示方法。
【請求項６】
メール表示方法を設定し、前記設定を記憶可能な携帯端末において、
受信メールの送信元メールアドレスのドメイン名から携帯端末からのメールかインターネット経由のメールかを判別する受信メール判別手段と、
前記判別したドメイン名に応じて、前記受信メールの文章内の改行マークを削除する改行マーク削除手段と、
前記判別したドメイン名に応じて前記受信メールをディスプレイに表示させる際の文字フォントサイズを変更する文字フォントサイズ変更手段と、
前記判別したドメイン名に応じて前記受信メールのディスプレイ表示方向を変更するディスプレイ表示方向変更手段と、
を有することを特徴とする携帯端末。
【発明の詳細な説明】
【技術分野】
【０００１】
本発明は、携帯電話機を利用した電子メールのやりとりにおいて、改行マークの削除、文字フォントサイズの変更、メール表示方向の変更を行うことにより、より多くの情報を一度に表示することが可能になるメール表示方法及び携帯端末に関する。
【背景技術】
【０００２】
従来、携帯電話機を利用した電子メールのやりとりにおいては、文字情報を表示する場合、折り返し回数が多く発生することによって視覚性が悪化するという問題を解決する「携帯端末の表示装置及び携帯端末の表示方法」がある（例えば、特許文献１参照）。また、電子メール本文の記載内容によって電子メールを効率的に処理できるようにするとともに、電子メールを不具合なく携帯電話に転送できる「電子メール転送方法、転送システム及び転送装置」がある（例えば、特許文献２参照）。また、カラーＬＣＤを有効に利用して、メール文章の中で指定した文字列だけの表示色を変えたり、文字サイズを変えたりして、文字の表現力を向上させる「携帯端末」がある（例えば、特許文献３参照）。
【特許文献１】特開平１１−３５５８４７号公報
【特許文献２】特開２００１−２３７８７４号公報
【特許文献３】特開２００２−４１１９４号公報
【発明の開示】
【発明が解決しようとする課題】
【０００３】
しかしながら、携帯電話機を利用した電子メールのやりとりにおいて、携帯電話機のディスプレイが小さいため、一度に表示できる文字数が少なく、インターネット経由から長文のメッセージを受信した場合、メールが読みにくいという問題があった。
【０００４】
ここで、上記特許文献１記載の発明は、文字数が指定以上である場合に表示方向の切り換えを行い、一行の文字数を増加させていたが、この方法では、ほとんどの場合において一度にディスプレイに表示させる文字数の増加にはつながらないという問題点があった。また、特許文献２及び３記載の発明は、ディスプレイに表示させる電子メールの文字数を増加させるものではない。
【０００５】
本発明は、上記事情に鑑みてなされたものであり、携帯電話機を利用した電子メールのやりとりにおいて、携帯電話機のディスプレイが小さいため、一度に表示できる文字数が少なく、インターネット経由から長文のメッセージを受信した場合、メールが読みにくいという問題を解決するために、改行マークの削除、文字フォントサイズの変更、メール表示方向の変更を行うことにより、より多くの情報を一度に表示することが可能になるメール表示方法及び携帯端末を提供することを目的とする。
【課題を解決するための手段】
【０００６】
かかる目的を達成するために、請求項１記載の発明は、待ち受け状態から、メール受信をし、メール表示方法設定の判定処理を実行し、判定処理を有効と判断した場合、受信メールのドメイン名を確認し、ドメイン名確認の後、受信メールがインターネット経由か携帯端末からかを判定し、受信メールがインターネット経由と判断された場合は、受信メール内の改行マークを削除して受信メールを表示し、待ち受け状態へ遷移し、受信メールが携帯電話機からと判断された場合は、通常のメール表示を実行して待ち受け状態へ遷移することを特徴とする。
【０００７】
請求項２記載の発明は、待ち受け状態から、メール受信をし、メール表示方法設定の判定処理を実行し、判定処理を有効と判断した場合、受信メールのドメイン名を確認し、ドメイン名確認の後、受信メールがインターネット経由か携帯電話機からかを判定し、受信メールがインターネット経由と判断された場合は、受信メールの文字フォントサイズを変更して受信メールを表示し、待ち受け状態へ遷移し、受信メールが携帯電話機からと判断された場合は、通常のメール表示を実行して待ち受け状態へ遷移することを特徴とする。
【０００８】
請求項３記載の発明は、待ち受け状態から、メール受信をし、メール表示方法設定の判定処理を実行し、判定処理を有効と判断した場合、受信メールのドメイン名を確認し、ドメイン名確認の後、受信メールがインターネット経由か携帯電話機からかを判定する処理を実行し、受信メールがインターネット経由と判断された場合は、受信メールがディスプレイに表示される方向を変更して受信メールを表示し、待ち受け状態へ遷移し、受信メールが携帯電話機からと判断された場合は、通常のメール表示を実行して待ち受け状態へ遷移することを特徴とする。
【０００９】
請求項４記載の発明は、待ち受け状態から、メール受信をし、メール表示方法設定の判定処理を実行し、判定処理を有効と判断した場合、受信メールのドメイン名を確認し、ドメイン名確認の後、受信メールがインターネット経由か携帯電話機からかを判定する処理を実行し、受信メールがインターネット経由と判断された場合は、受信メール内の改行マークを削除し、改行マーク削除済みのメールを既存メールに上書き保存して表示し、待ち受け状態へ遷移し、受信メールが携帯電話機からと判断された場合は、通常のメール表示を実行して待ち受け状態へ遷移することを特徴とする。
【００１０】
請求項５記載の発明は、請求項１から４のいずれか１項に記載の発明において、メール表示方法設定の判定処理を無効と判定した場合、通常メール表示を実行し、待ち受け状態へ遷移することを特徴とする。
【００１１】
請求項６記載の発明は、メール表示方法を設定し、設定を記憶可能な携帯端末において、受信メールの送信元メールアドレスのドメイン名から携帯端末からのメールかインターネット経由のメールかを判別する受信メール判別手段と、判別したドメイン名に応じて、受信メールの文章内の改行マークを削除する改行マーク削除手段と、判別したドメイン名に応じて受信メールをディスプレイに表示させる際の文字フォントサイズを変更する文字フォントサイズ変更手段と、判別したドメイン名に応じて受信メールのディスプレイ表示方向を変更するディスプレイ表示方向変更手段と、を有することを特徴とする。
【発明の効果】
【００１２】
本発明の第１の効果として、携帯電話機を利用した電子メールのやりとりにおいて、携帯電話機のディスプレイが小さいため、一度に表示できる文字数が少なく、インターネット経由から長文のメッセージを受信した場合、メールが読みにくいという問題があったが、改行マークの削除、文字フォントサイズの変更、メール表示方向の変更を行うことにより、より多くの情報を一度に表示することが可能となる。
【００１３】
本発明の第２の効果として、メール表示方法を設定し、その設定を記憶可能な携帯電話機において、受信メールの送信元メールアドレスのドメイン名から携帯電話機からのメールかインターネット経由のメールかを判別することが可能となる。
【００１４】
本発明の第３の効果として、判別したドメイン名に応じて、受信メールの文章内の改行マークを削除することが可能となる。
【００１５】
本発明の第４の効果として、判別したドメイン名に応じて受信メールをディスプレイに表示させる際の文字フォントサイズを変更することが可能となる。
【００１６】
本発明の第５の効果として、判別したドメイン名に応じて受信メールのディスプレイ表示方向を変更することが可能となる。
【００１７】
本発明の第６の効果として、受信メールの文章内の改行マークを削除し、その後、改行マーク削除済みのメールを既存メールに上書き保存することによって、メール容量の縮小化が可能となる。
【発明を実施するための最良の形態】
【００１８】
以下、本発明の実施の形態について添付図面を参照して詳細に説明する。
【００１９】
図１のブロック図に示すように、本発明の実施形態である携帯電話機において、無線送受信部１０１は、ＰＤＣまたはＰＨＳ携帯電話機の無線部であり、無線送受信部１０１にて通話の着信やメール受信が発生し、主制御部１０５はそれらを検出し通報動作を行っている。本発明では、通常操作者が操作入力部１１０を介して、メール表示方法を設定し、主制御部１０５は、メール表示方法設定データ格納部１０９に記憶された状態に基づいて表示させることを可能とするものである。
【実施例１】
【００２０】
図１は、本発明の実施形態である携帯電話機を示すブロック図である。ＡＮＴ部１００は無線送受信部１０１にて送受信する無線信号を復変調し基地局からの無線信号に従った送受信動作を行っている。
【００２１】
無線データ制御部１０２は、あらかじめ登録された自己の無線情報に従い、無線送信するための音声データと電子メールデータを主制御部１０５から受け取り生成して無線送受信部１０１に送出するとともに、無線を介して受信したデータのデコードを行い、音声データと電子メールデータを取り出し、主制御部１０５にデータを与える。
【００２２】
表示部１０３は、主制御部１０５の指定データを表示する手段である。この表示部１０３には、音声着信を通知する動作や格納していた電子メールの編集、送信等の一連の処理が実行された場合に、それを告知する表示手段を有している。
【００２３】
報知部１０４は、無線送受信部１０１、無線データ制御部１０２を介して通話着信または電子メールの受信があったときに、主制御部１０５から現在設定されている告知方法で操作者に通報するためのものである。
【００２４】
主制御部１０５は、プログラムＲＯＭ１１１に記述されたプログラム内容に従って本端末装置全体を制御し、音声通話や電子メールデータの送受信動作を管理および制御している。また、主制御部１０５は本発明において、操作者が操作入力部１１０を介してメール表示方法を設定した情報を、メール表示方法設定データ格納部１０９に対して保存制御している。そして、主制御部１０５は、メール表示方法設定データ格納部１０９に保存されているデータに基づいて、受信メールの表示を行う。
【００２５】
受話部１０６は、電話通話時に相手の音声を聴くためのスピーカを内蔵し、送話部１０７は音声マイクを内蔵している。
【００２６】
日付時計機能部１０８は、日付情報と時計を主制御部１０５に伝達する回路である。メール表示方法設定データ格納部１０９は、操作者が操作入力部１１０でメール表示方法を設定した情報データを主制御部１０５から与えられて格納し、また主制御部に対して情報を提供している。本発明の情報データとして、例えば受信メール内の改行マークの削除指示、受信メールをディスプレイに表示させる際の文字フォントサイズの指定、受信メールのディスプレイ表示方向の指定を格納している。
【００２７】
操作入力部１１０は、操作者からの基本操作入力を行い、入力情報を主制御部１０５に転送する。本発明においては、操作者がメール表示方法設定するための入力手段となる。
【００２８】
図２は本発明の改行マーク削除変換処理に関するフローチャートである。待ち受け状態（Ｓ２０１）から、メール受信（Ｓ２０２）をし、主制御部１０５はメール表示方法設定の判定処理（Ｓ２０３）を実行する。ここで、メール表示方法設定の判定処理とは、図５及び図６に示すように、表示設定がどのようにされているかの確認処理を行うことである（以下、図３、４、７においても同様）。判定処理（Ｓ２０３）を有効と判断した場合、主制御部１０５は、受信メールのドメイン名確認処理（Ｓ２０４）を行う。判定処理（Ｓ２０３）を無効と判定した場合、通常メール表示（Ｓ２０８）を実行し、待ち受け状態（Ｓ２０１）へ遷移する。主制御部１０５はドメイン名確認処理（Ｓ２０４）の後、受信メールがインターネット経由か携帯電話機からかを判定する処理（Ｓ２０５）を実行する。受信メールがインターネット経由の場合、改行マーク削除変換処理（Ｓ２０６）を実行して受信メールを表示（Ｓ２０７）させ、待ち受け状態（Ｓ２０１）へ遷移する。判定処理（Ｓ２０５）で受信メールが携帯電話機からと判断された場合は、通常メール表示処理（Ｓ２０８）を実行して待ち受け状態（Ｓ２０１）へ遷移する。
【００２９】
図３は本発明の文字フォントサイズ変更処理に関するフローチャートである。待ち受け状態（Ｓ３０１）から、メール受信（Ｓ３０２）をし、主制御部１０５はメール表示方法設定の判定処理（Ｓ３０３）を実行する。判定処理（Ｓ３０３）を有効と判断した場合、主制御部１０５は、受信メールのドメイン名確認処理（Ｓ３０４）を行う。判定処理（Ｓ２０３）を無効と判定した場合、通常メール表示（Ｓ３０８）を実行し、待ち受け状態（Ｓ３０１）へ遷移する。主制御部１０５はドメイン名確認処理（Ｓ３０４）の後、受信メールがインターネット経由か携帯電話機からかを判定する処理（Ｓ３０５）を実行する。受信メールがインターネット経由の場合、文字フォントサイズ変更処理（Ｓ３０６）を実行して受信メールを表示（Ｓ３０７）させ、待ち受け状態（Ｓ３０１）へ遷移する。判定処理（Ｓ３０５）で受信メールが携帯電話機からと判断された場合は、通常メール表示処理（Ｓ３０８）を実行して待ち受け状態（Ｓ３０１）へ遷移する。
【００３０】
図４は本発明の受信メールのディスプレイ表示方向変更処理に関するフローチャートである。待ち受け状態（Ｓ４０１）から、メール受信（Ｓ４０２）をし、主制御部１０５はメール表示方法設定の判定処理（Ｓ４０３）を実行する。判定処理（Ｓ４０３）を有効と判断した場合、主制御部１０５は、受信メールのドメイン名確認処理（Ｓ４０４）を行う。判定処理（Ｓ４０３）を無効と判定した場合、通常メール表示（Ｓ４０８）を実行し、待ち受け状態（Ｓ４０１）へ遷移する。主制御部１０５はドメイン名確認処理（Ｓ４０４）の後、受信メールがインターネット経由か携帯電話機からかを判定する処理（Ｓ４０５）を実行する。受信メールがインターネット経由の場合、受信メールディスプレイ表示方向変更処理（Ｓ４０６）を実行して受信メールを表示（Ｓ４０７）させ、待ち受け状態（Ｓ４０１）へ遷移する。判定処理（Ｓ４０５）で受信メールが携帯電話機からと判断された場合は、通常メール表示処理（Ｓ４０８）を実行して待ち受け状態（Ｓ４０１）へ遷移する。
【００３１】
図５、図６は、メール表示方法設定データ格納部１０９の格納状態を示すデータの設定例および、メール表示方法設定の設定例である。この場合、操作者が操作入力部１１０からメール表示方法を設定した場合に、主制御部１０５は履歴データとして読み出し、それらのデータを更新して保存するものとする。
【実施例２】
【００３２】
次に、本発明の第２の実施例を説明する。実施例２は、受信メールの送信元メールアドレスのドメイン名から、携帯電話機からのメールかインターネット経由のメールかを判別し、インターネット経由のメールの場合、受信メールの文章内の改行マークを削除し、その後、改行マーク削除済みのメールを既存メールに上書き保存し、メール容量の縮小化を行う。
【００３３】
図７は改行マーク削除変換処理後のメール上書き保存に関するフローチャートである。待ち受け状態（Ｓ７０１）から、メール受信（Ｓ７０２）をし、主制御部１０５はメール表示方法設定の判定処理（Ｓ７０３）を実行する。判定処理（Ｓ７０３）を有効と判断した場合、主制御部１０５は、受信メールのドメイン名確認処理（Ｓ７０４）を行う。判定処理（Ｓ７０３）を無効と判定した場合、通常メール表示（Ｓ７０９）を実行し、待ち受け状態（Ｓ７０１）へ遷移する。主制御部１０５はドメイン名確認処理（Ｓ７０４）の後、受信メールがインターネット経由か携帯電話機からかを判定する処理（Ｓ７０５）を実行する。受信メールがインターネット経由の場合、改行マーク削除変換処理（Ｓ７０６）を実行する。その後、改行マーク変換処理済みのメールを既存メール（改行マーク削除処理前の受信メール）に上書き保存処理（Ｓ７０７）を実行し、受信メールを表示（Ｓ７０８）させ、待ち受け状態（Ｓ７０１）へ遷移する。判定処理（Ｓ７０５）で受信メールが携帯電話機からと判断された場合は、通常メール表示処理（Ｓ７０９）を実行して待ち受け状態（Ｓ７０１）へ遷移する。
【産業上の利用可能性】
【００３４】
本発明は携帯電話機のメール表示方法に関するものであり、メール表示方法を設定し、その設定を記憶可能な携帯電話機において、受信メールの送信元メールアドレスのドメイン名から携帯電話機からのメールかインターネット経由のメールかを判別することが可能である。また、判別したドメイン名に応じて、受信メールの文章内の改行マークを削除することが可能である。また、判別したドメイン名に応じて受信メールをディスプレイに表示させる際の文字フォントサイズを変更することが可能である。判別したドメイン名に応じて受信メールのディスプレイ表示方向を変更することが可能である。また、改行マーク削除済みのメールを既存メールに上書き保存し、メール容量の縮小化を行うことが可能である。
【図面の簡単な説明】
【００３５】
【図１】本発明の実施形態である携帯電話機の内部構成を示すブロック図である。
【図２】本発明の実施例である改行マーク削除変換処理を示すフローチャートである。
【図３】本発明の実施例である文字フォントサイズ変更処理を示すフローチャートである。
【図４】本発明の実施例である受信メールのディスプレイ表示方向変更処理を示すフローチャートである。
【図５】本発明の実施例であるメール表示方法の設定画面の一例を示すイメージ図である。
【図６】本発明の実施例であるメール表示方法の設定画面遷移の一例を示すイメージ図である。
【図７】本発明の実施例である改行マーク削除変換処理後のメール上書き保存を示すフローチャートである。
【符号の説明】
【００３６】
１０１    無線送受信部
１０２    無線データ制御部
１０３    表示部
１０４    報知部
１０５    主制御部
１０６    受話部
１０７    送話部
１０８    日付時計機能部
１０９    メール表示方法設定データ格納部
１１０    操作入力部
１１１    プログラムＲＯＭ
【図１】
2005057618.tif 000003
【図２】
2005057618.tif 000004
【図３】
2005057618.tif 000005
【図４】
2005057618.tif 000006
【図５】
2005057618.tif 000007
【図６】
2005057618.tif 000008
【図７】
2005057618.tif 000009